【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
各々が複数の金属線によって形成され、且つ２つの実質的に垂直な対称軸を持つ複数の複合パターンユニットを備える金属メッシュアセンブリであって、前記複数の金属線は、
駆動層に位置する複数の駆動線と、
前記駆動層から絶縁された感応層に位置する複数の検出線とを含み、
前記複数の駆動線と前記複数の検出線とは、前記複数の複合パターンユニットの各々を複合的に形成し、
前記複数の駆動線及び前記複数の検出線の各々は、２つの実質的に垂直な対称軸を持つパターンを有する、
金属メッシュアセンブリ。
【請求項２】
前記複数の金属線は、ダミー層、前記駆動層及び前記感応層のうちの少なくとも１層に設けられた複数のダミー線をさらに含み、
前記複数のダミー線と、前記複数の駆動線及び前記複数の検出線とは、前記複数の複合パターンユニットの各々を複合的に形成し、
前記複数のダミー線は、前記２つの実質的に垂直な対称軸を持つパターンを有する、
請求項１に記載の金属メッシュアセンブリ。
【請求項３】
前記複数の複合パターンユニットの各々は、複数の基本パターンを含み、前記複数の基本パターンの各々は、矩形領域内に位置し、且つ、
菱形の金属フレームと、
各々が前記菱形の中心を通ると共に、前記菱形の２つの対向辺の２つの中点を通る、互いに交差する２つの金属セグメントとを含み、
前記菱形の４つの角点は、それぞれ前記矩形領域の４辺の４つの中点に位置し、
前記２つの金属セグメントはそれぞれ、前記矩形領域の２つの対角線である、
請求項２に記載の金属メッシュアセンブリ。
【請求項４】
前記複数のダミー線のうちの少なくとも一部のダミー線は、前記感応層に位置し、
前記複数のダミー線のうちの前記少なくとも一部のダミー線の各々は、それと交差する前記複数の検出線のいずれか１つから切断される、
請求項２又は３に記載の金属メッシュアセンブリ。
【請求項５】
前記複数の基本パターンは、奇数列を有したマトリックスに配列され、前記複数の基本パターンの各々において、
前記金属フレームは１種のダミー線によって形成されるか、又は、該１種のダミー線と１種の検出線によって複合的に形成され、
前記２つの金属セグメントは、該１種のダミー線、該１種の検出線、及び１種の駆動線のうちの少なくとも２種によって形成される、
請求項３に記載の金属メッシュアセンブリ。
【請求項６】
前記複数の複合パターンユニットの各々の、前記感応層に位置する金属パターンは、前記２つの実質的に垂直な対称軸によって４つのサブ感応領域に区画され、
前記４つのサブ感応領域の各々は、前記２つの実質的に垂直な対称軸のうちの１つの対称軸に沿って順次連続的に接続された複数の第１複合パターンを有する、
請求項５に記載の金属メッシュアセンブリ。
【請求項７】
前記複数の第１複合パターンの各々は、ｙ字形部とλ字形部を含み、前記λ字形部の上端部は、前記ｙ字形部の下端部と接続する、
請求項６に記載の金属メッシュアセンブリ。
【請求項８】
前記複数の複合パターンユニットの各々の、前記駆動層に位置する金属パターンは、前記２つの実質的に垂直な対称軸によって４つのサブ駆動領域に区画され、
前記４つのサブ駆動領域の各々は、前記２つの実質的に垂直な対称軸のうちの１つの対称軸に沿って順次連続的に接続された複数の第２複合パターンを有する、
請求項５に記載の金属メッシュアセンブリ。
【請求項９】
前記複数の第２複合パターンの各々は、
２つの交差セグメントを含むｘ字形部と、
前記ｘ字形部の一側に位置し、前記２つの実質的に垂直な対称軸のうちの前記１つの対称軸により近接し、且つそれぞれ前記２つの交差セグメントと接続する２つの屈曲部とを含み、
前記２つの屈曲部は、それぞれ前記２つの交差セグメントに平行する、
請求項８に記載の金属メッシュアセンブリ。
【請求項１０】
前記複数の基本パターンは、偶数列を有したマトリックスに配列され、前記複数の基本パターンの各々において、
前記金属フレームは１種のダミー線によって形成され、
前記２つの金属セグメントは、該１種のダミー線、該１種の検出線、及び１種の駆動線のうちのいずれか２種によって形成される、
請求項３に記載の金属メッシュアセンブリ。
【請求項１１】
前記複数の複合パターンユニットの各々の、前記複数の駆動線のパターンは、マトリックスに配列され、且つ前記２つの実質的に垂直な対称軸の各対称軸に沿って順次連続的に接続された複数の第１菱形サブパターンを含み、
前記複数の第１菱形サブパターンの列数は奇数である、
請求項１０に記載の金属メッシュアセンブリ。
【請求項１２】
前記複数の複合パターンユニットの各々の、前記複数の検出線のパターンは、マトリックスに配列され、且つ前記２つの実質的に垂直な対称軸の各対称軸に沿って順次連続的に接続された複数の第２菱形サブパターンを含み、
前記複数の第２菱形サブパターンの列数は偶数である、
請求項１０に記載の金属メッシュアセンブリ。
【請求項１３】
前記駆動層と前記感応層との間に位置し、前記駆動層と前記感応層との間の絶縁を提供するように配置される第１保護層をさらに含む、
請求項１−１２のいずれかに記載の金属メッシュアセンブリ。
【請求項１４】
請求項１−１２のいずれかに記載の金属メッシュアセンブリを備える、タッチ表示パネル。
【請求項１５】
前記金属メッシュアセンブリは、前記感応層が前記駆動層よりも前記タッチ表示パネルのタッチ側に近接するように配置される、
請求項１４に記載のタッチ表示パネル。
【請求項１６】
表示パネルをさらに備え、前記金属メッシュアセンブリは、前記表示パネルと前記タッチ表示パネルの前記タッチ側との間に位置する、
請求項１５に記載のタッチ表示パネル。
【請求項１７】
前記金属メッシュアセンブリの前記感応層と実質的に同じ層に位置するブラックマトリックス層をさらに含む、
請求項１６に記載のタッチ表示パネル。
【請求項１８】
前記金属メッシュアセンブリは、前記駆動層と前記表示パネルとの間に位置する第２保護層をさらに含む、
請求項１７に記載のタッチ表示パネル。
【請求項１９】
表示パネルをさらに含み、前記金属メッシュアセンブリは、前記表示パネルのカラーフィルター基板とＰＯＬ層との間に位置する、
請求項１５に記載のタッチ表示パネル。
【請求項２０】
前記金属メッシュアセンブリは、前記表示パネルの前記感応層と前記ＰＯＬ層との間に位置する第２保護層をさらに含む、
請求項１９に記載のタッチ表示パネル。
【請求項２１】
請求項１４−２０のいずれかに記載のタッチ表示パネルを備える表示装置。
【手続補正２】
【補正対象書類名】明細書
【補正対象項目名】０００１
【補正方法】変更
【補正の内容】
【０００１】
本開示は、表示技術分野に関し、特に金属メッシュアセンブリ、タッチ表示パネル及びその製造方法、並びに該タッチ表示パネルを備える表示装置に関するものである。
【手続補正３】
【補正対象書類名】明細書
【補正対象項目名】００１１
【補正方法】変更
【補正の内容】
【００１１】
本明細書及び本開示を通して、用語「複合」、「複合的に」、又はこれに類する用語は、各要素の同一平面における正投影が同一平面における集合パターンに組合せることを指す。例えば、「前記複数の駆動線及び前記複数の検出線が前記複数の複合パターンユニットの各々を複合的に形成する」という文は、実質的に、前記複数の駆動線の同一平面（例えば、駆動層に平行な基板の表面）における正射影と前記複数の検出線の該同一平面における正投影は、同一平面において共同で前記複数の複合パターンユニット（即ちパターン）の各々を形成することを説明する。
【手続補正４】
【補正対象書類名】明細書
【補正対象項目名】００１７
【補正方法】変更
【補正の内容】
【００１７】
上述の金属メッシュアセンブリにおいて、前記複数の基本パターンは、選択的には、奇数列を有したマトリックスに配列されてもよく、ここで、前記複数の基本パターンの各々において、金属フレームは１種のダミー線によって形成されるか、又は、該１種のダミー線と１種の検出線によって複合的に形成され、前記２つの金属セグメントは、該１種のダミー線、該１種の検出線、及び１種の駆動線のうちの少なくとも２種によって構成される。
【手続補正５】
【補正対象書類名】明細書
【補正対象項目名】００１８
【補正方法】変更
【補正の内容】
【００１８】
ここで、選択的には、前記複数の複合パターンユニットの各々の、感応層内に位置する金属パターンは、前記２つの実質的に垂直な対称軸によって４つのサブ感応領域に区画され、且つこの４つのサブ感応領域の各々が、２つの実質的に垂直な対称軸のうちの１つの対称軸に沿って順次連続的に接続された複数の第１複合パターンを有することができる。
【手続補正６】
【補正対象書類名】明細書
【補正対象項目名】００２０
【補正方法】変更
【補正の内容】
【００２０】
金属メッシュアセンブリの幾つかの実施例によれば、前記複数の複合パターンユニットの各々の、前記駆動層内に位置する金属パターンは、前記２つの実質的に垂直な対称軸によって４つのサブ駆動領域に区画され、且つこの４つのサブ駆動領域の各々は、前記２つの実質的に垂直な対称軸のうちの１つの対称軸に沿って順次連続的に接続された複数の第２複合パターンを有する。
【手続補正７】
【補正対象書類名】明細書
【補正対象項目名】００２２
【補正方法】変更
【補正の内容】
【００２２】
金属メッシュアセンブリの幾つかの実施例によれば、前記複数の基本パターンは偶数列を有したマトリックスに配列される。前記複数の基本パターンの各々において、金属フレームは１種のダミー線によって構成され、前記２つの金属セグメントは、該１種のダミー線、該１種の検出線、及び１種の駆動線のうちのいずれか２つによって構成される。
【手続補正８】
【補正対象書類名】明細書
【補正対象項目名】００４１
【補正方法】変更
【補正の内容】
【００４１】
ここで、前記複数の金属線は、駆動層に配置された複数の駆動線と、感応層に配置された複数の検出線と、複数のダミー線とを含み、前記複数のダミー線は、駆動層のみ、検知層のみ、又は駆動層と感応層の両方（即ち、一部のダミー線は駆動層に位置し、他のダミー線は感応層に位置する）に配置される。感応層は、駆動層から電気的に絶縁されており、これは、例えば、その間に第１保護層（実質的には絶縁層である）を設けることにより実現することができる。
【手続補正９】
【補正対象書類名】明細書
【補正対象項目名】００４６
【補正方法】変更
【補正の内容】
【００４６】
前記複数の駆動線、前記複数の検出線、及び前記複数のダミー線によって形成される複合パターンユニットは、図２に示す一実施例及び図１１に示す他の一実施例によって示されることができる。図２及び図１１の両方は、金属メッシュアセンブリ内の金属線の上面図を実質的に示している。
【手続補正１０】
【補正対象書類名】明細書
【補正対象項目名】００５６
【補正方法】変更
【補正の内容】
【００５６】
さらに、図２及び図３を参照すると、上述の複合パターンユニットの構造をより明確に示すため、複合パターンユニットの菱形の金属フレームは、いずれも灰色で塗りつぶされている。
【手続補正１１】
【補正対象書類名】明細書
【補正対象項目名】００６５
【補正方法】変更
【補正の内容】
【００６５】
図４及び図５に示す実施例において、ｘ字形部は、長さが等しい２つの交差セグメント（即ち、第１セグメントａ及び第２セグメントｂ）を含み、２つの交差セグメントａとｂとの間の交差点Ｘ１は、この２つの交差セグメントの各々の中点である。第２セグメントｂの第２対称軸Ｂ−Ｂ寄りの端部に接続する屈曲部ｃは、第１セグメントａに平行し、第１セグメントａの第２対称軸Ｂ−Ｂ寄りの端部に接続する屈曲部ｄは、第２セグメントｂに平行する。２つの屈曲部ｃ、ｄの端部は、共に第２対称軸Ｂ−Ｂ上に位置する。
【手続補正１２】
【補正対象書類名】明細書
【補正対象項目名】００７１
【補正方法】変更
【補正の内容】
【００７１】
図７は、図６に示す前記複数の第１複合パターンのうちの１つを示している。図７に示すように、前記複数の第１複合パターンの各々は、ｙ字形部とλ字形部を含み、該λ字形部の上端部は、ｙ字形部の下端部と接続する。言い換えると、ｙ字形部は、第１複合パターンの上部に設けられ、λ字形部は、第１複合パターンの下部に設けられる。
【手続補正１３】
【補正対象書類名】明細書
【補正対象項目名】００７２
【補正方法】変更
【補正の内容】
【００７２】
上述の金属メッシュアセンブリの実施例において、ｙ字形部は、一定の角度をなすように配置された２つのセグメント（即ち、第３セグメントｅ及び第４セグメントｆ）を含む。第３セグメントｅの長さは、第４セグメントｆの長さよりも短い。第３セグメントｅはｙ字形部の左上部分を構成し、第４セグメントｆはｙ字形部の残りの部分を構成する。第３セグメントｅは、第４セグメントｆの中点（即ち、接続点Ｘ２）と接続する。
【手続補正１４】
【補正対象書類名】明細書
【補正対象項目名】００７３
【補正方法】変更
【補正の内容】
【００７３】
上述の金属メッシュアセンブリの実施例において、λ字形部は、一定の角度をなすように配置された２つのセグメント（即ち、第５セグメントｇ及び第６セグメントｈ）を含む。第５セグメントｇの長さは、第６セグメントｈの長さよりも短い。第５セグメントｇはλ字形部の左上部分を構成し、第６セグメントｈはλ字形部の残りの部分を構成する。第５セグメントｇは、第６セグメントｈの中点（即ち、接続点Ｘ３）と接続する。
【手続補正１５】
【補正対象書類名】明細書
【補正対象項目名】００７６
【補正方法】変更
【補正の内容】
【００７６】
注意すべきなのは、図６において、各短いセグメントは、検出線２とダミー線３との間の接続位置又は交差位置を示している。好ましくは、該接続／交差位置は、ダミー領域から感応領域を完全に分離させるように切断処理され、これにより、比較的良好な影除去効果（ｓｈａｄｏｗ  ｅｌｉｍｉｎａｔｉｏｎ  ｅｆｆｅｃｔ）が確保され、金属メッシュのタッチ表示パネルの影除去とモアレパターンを効果的に調整することができる。
【手続補正１６】
【補正対象書類名】明細書
【補正対象項目名】００８０
【補正方法】変更
【補正の内容】
【００８０】
図１０に示すように、金属メッシュアセンブリの上述実施例において、駆動層に設けられた駆動線１のパターン、及び共に感応層に設けられた検出線２のパターンとダミー線３のパターンは、共同で複合パターンユニットを形成する。ここで、各金属線（即ち、駆動線１、検出線２等）の配置及びレイアウトを明確に示すため、菱形の金属フレームは灰色で塗り潰されていない。
【手続補正１７】
【補正対象書類名】明細書
【補正対象項目名】００８３
【補正方法】変更
【補正の内容】
【００８３】
前記複数の複合パターンユニットの各々において、前記複数の基本パターンの各々の構造は、いずれも図２−図１０に示す金属メッシュアセンブリの該一実施例と同様であり、具体的には、図３を参照すればよい。本実施例において、前記複数の基本パターンの各々も、菱形の形状を有する金属フレーム（即ち、菱形の金属フレーム）と、互いに交差する２つの金属セグメントを含む。この２つの金属セグメントの各々は、菱形の金属フレームの中心点を通ると共に、菱形の金属フレームの２つの対向辺の中点と接続するように配置される。
【手続補正１８】
【補正対象書類名】明細書
【補正対象項目名】００９１
【補正方法】変更
【補正の内容】
【００９１】
図１５に示すように、ここで説明する金属メッシュアセンブリの実施例において、感応層には、検出線２とダミー線３が設けられている。このように、検出線２内に感応層が設けられる領域は感応領域であり、一方、ダミー線３が設けられる領域はダミー領域である。感応領域及びダミー領域の各領域のパターンは、実質的に完全な対称性を有する。
【手続補正１９】
【補正対象書類名】明細書
【補正対象項目名】００９２
【補正方法】変更
【補正の内容】
【００９２】
図１６は、駆動層に設けられた駆動線１のパターン、及び感応層に設けられた検出線２のパターンとダミー線３のパターンの複合パターンを示しており、これらの三者は、共同で複合パターンユニットを形成する。各金属線（即ち、駆動線１、検出線２等）の構造及びレイアウトを明確に示すため、菱形の金属フレームは灰色で塗り潰されていない。
【手続補正２０】
【補正対象書類名】明細書
【補正対象項目名】０１００
【補正方法】変更
【補正の内容】
【０１００】
表示パネルに位置する金属メッシュアセンブリ層は、感応層（Ｒｘと示す）と、第１保護層（ＯＣ１と示す）と、駆動層（Ｔｘと示す）と、第２保護層（ＯＣ２と示す）とを含み、これらの層は、基板から表示パネルに向かう方向（即ち、図１７の上から下への方向）に沿って、基板と表示パネルとの間に順次配置される。こうして、該アドオン型タッチ表示パネルの実施例において、第１保護層は、感応層と駆動層との間に位置し、第２保護層（ＯＣ２と示す）は、駆動層と表示パネルとの間に位置する。
【手続補正２１】
【補正対象書類名】明細書
【補正対象項目名】０１０６
【補正方法】変更
【補正の内容】
【０１０６】
注意すべきなのは、図１７に示すアドオン型タッチ表示パネルの実施例及び図１８に示すビルトイン型タッチ表示パネルの実施例において、上表面は、タッチ表示パネルのタッチ面として機能し、さらに感応層は、駆動層よりもタッチ面に近接するように設けられることが好ましい。
【手続補正２２】
【補正対象書類名】明細書
【補正対象項目名】０１３１
【補正方法】変更
【補正の内容】
【０１３１】
第４の態様では、本開示は表示装置をさらに提供する。表示装置は、上述のいずれか１つの実施例に係るタッチ表示パネルを備える。